(57)【要約】【課題】  本発明の目的とするところは、外部入力端子を切り替えるために、ユーザが設定した呼出し語を外部入力端子とマッチングさせて保存し、ユーザの設定した呼出し語が認識された場合、呼出し語に対応する外部入力端子に切り替える外部入力制御方法及びそれを適用した放送受信装置を提供することにある。【解決手段】  外部入力制御方法及びそれを適用した放送受信装置が提供される。本外部入力制御方法は、外部入力端子を通じて接続された外部入力装置の呼出し語を設定し、呼出し語と呼出し語に対応する外部入力端子とをマッチングして保存し、ユーザ音声が入力されると、ユーザ音声を認識し、ユーザ音声に呼出し語が含まれているか否かを判断し、ユーザ音声に呼出し語が含まれている場合、呼出し語に対応する外部入力端子を活性化させ、呼出し語に対応する外部入力端子から受信される映像を表示する。【選択図】      図５
2014021493.tif 000002
【特許請求の範囲】
【請求項１】
放送受信装置の外部入力制御方法において、
外部入力端子を通じて接続された外部入力装置の呼出し語を設定するステップと、
前記呼出し語と前記呼出し語に対応する外部入力端子とをマッチングして保存するステップと、
ユーザ音声が入力されると、前記ユーザ音声を認識し、前記ユーザ音声に前記呼出し語が含まれているか否かを判断するステップと、
前記ユーザ音声に前記呼出し語が含まれている場合、前記呼出し語に対応する外部入力端子を活性化させ、前記呼出し語に対応する外部入力端子から受信される映像を表示するステップと
を含む外部入力制御方法。
【請求項２】
前記外部入力端子を通じて新たな外部入力装置が接続された場合、前記外部入力端子を通じて接続された既存の外部入力装置と前記新たな外部入力装置とが同一の外部入力装置であるか否かを判断するステップと、
前記既存の外部入力装置と新たな外部入力装置とが異なる場合、前記新たな外部入力装置の呼出し語を設定するステップと、
前記新たな外部入力装置の呼出し語と前記外部入力端子とをマッチングして保存するステップと
を含むことを特徴とする請求項１に記載の外部入力制御方法。
【請求項３】
前記同一の外部入力装置か否かを判断するステップは、
前記外部入力端子を通じて新たな外部入力装置が接続された場合、前記既存の外部入力装置と前記新たな外部入力装置とが同一の外部入力装置か否かをユーザに問い合わせるためのＵＩをディスプレイするステップと、
前記ＵＩを通じて入力されたユーザ入力に応じて、前記既存の外部入力装置と前記新たな外部入力装置とが同一の外部入力装置か否かを判断するステップと
を含むことを特徴とする請求項２に記載の外部入力制御方法。
【請求項４】
前記設定するステップは、
前記外部入力端子を通じて接続された外部入力装置の呼出し語を設定するためのＵＩを表示するステップを含むことを特徴とする請求項１に記載の外部入力制御方法。
【請求項５】
前記ＵＩは、
前記放送受信装置の電源が最初にオンされた場合に表示されることを特徴とする請求項４に記載の外部入力制御方法。
【請求項６】
前記判断するステップは、
前記ユーザ音声が入力されると、前記ユーザ音声をデジタル信号に処理するステップと、
前記デジタル信号を外部のサーバに伝送するステップと、
前記サーバから前記デジタル信号に対応するテキスト情報を受信するステップと、
前記テキスト情報に前記呼出し語が含まれているか否かを判断するステップと
を含むことを特徴とする請求項１に記載の外部入力制御方法。
【請求項７】
前記ユーザ音声に外部入力装置に対する制御命令が含まれている場合、前記制御命令に対応する制御信号を前記外部入力装置に伝送するステップを含むことを特徴とする請求項１に記載の外部入力制御方法。
【請求項８】
前記呼出し語は、
前記放送受信装置に予め保存された呼出し語及び前記ユーザによって入力された呼出し語のいずれか一方であることを特徴とする請求項１に記載の外部入力制御方法。
【請求項９】
放送受信装置において、
前記放送受信装置と外部入力装置とを接続するための外部入力端子と、
前記外部入力端子を通じて接続された外部入力装置の呼出し語を設定する呼出し語設定部と、
前記呼出し語と前記呼出し語に対応する外部入力端子とをマッチングして保存する保存部と、
ユーザ音声が入力されると、前記ユーザ音声を認識する音声認識部と、
ディスプレイ部と、
前記音声認識部を介して認識されたユーザ音声に前記呼出し語が含まれているか否かを判断し、前記ユーザ音声に前記呼出し語が含まれている場合、前記呼出し語に対応する外部入力端子を活性化させ、前記呼出し語に対応する外部入力端子から受信される映像を表示するように前記ディスプレイ部を制御する制御部と
を含む放送受信装置。
【請求項１０】
前記制御部は、
前記外部入力端子を通じて新たな外部入力装置が接続された場合、前記外部入力端子を通じて接続された既存の外部入力装置と前記新たな外部入力装置とが同一の外部入力装置であるか否かを判断し、前記既存の外部入力装置と新たな外部入力装置とが異なる場合、前記新たな外部入力装置の呼出し語を設定するように前記呼出し語設定部を制御し、前記新たな外部入力装置の呼出し語と前記外部入力端子とをマッチングして前記保存部に保存することを特徴とする請求項９に記載の放送受信装置。
【請求項１１】
前記制御部は、
前記外部入力端子を通じて新たな外部入力装置が接続された場合、前記既存の外部入力装置と前記新たな外部入力装置とが同一の外部入力装置か否かをユーザに問い合わせるためのＵＩをディスプレイするように前記ディスプレイ部を制御し、前記ＵＩを通じて入力されたユーザ入力に応じて、前記既存の外部入力装置と前記新たな外部入力装置とが同一の外部入力装置か否かを判断することを特徴とする請求項１０に記載の放送受信装置。
【請求項１２】
前記呼出し語設定部は、
前記外部入力端子を通じて接続された外部入力装置の呼出し語を設定するためのＵＩを表示することを特徴とする請求項９に記載の放送受信装置。
【請求項１３】
前記ＵＩは、
前記放送受信装置の電源が最初にオンされた場合に表示されることを特徴とする請求項１２に記載の放送受信装置。
【請求項１４】
前記音声認識部は、
前記ユーザ音声が入力されると、前記ユーザ音声をデジタル信号に処理する音声信号処理部と、
前記デジタル信号を外部のサーバに伝送し、前記サーバから前記デジタル信号に対応するテキスト情報を受信する通信部と
を含み、
前記制御部は、
前記サーバから受信されたテキスト情報に前記呼出し語が含まれているか否かを判断することを特徴とする請求項９に記載の放送受信装置。
【請求項１５】
前記制御部は、
前記ユーザ音声に外部入力装置に対する制御命令が含まれている場合、前記制御命令に対応する制御信号を生成し、前記外部入力端子を通じて前記外部入力装置に伝送することを特徴とする請求項９に記載の放送受信装置。
【発明の詳細な説明】
【技術分野】
【０００１】
本発明は、外部入力制御方法及びそれを適用した放送受信装置に関し、より詳細には、対話型音声認識システムでユーザの音声を認識して外部入力を制御する外部入力制御方法及びそれを適用した放送受信装置に関する。
【背景技術】
【０００２】
多様な外部入力装置を用いてコンテンツを再生しようとするユーザの要求を満たすために、テレビのような放送受信装置には複数の外部入力端子が備えられる。例えば、放送受信装置には、ＡＶ端子、コンポーネント端子及びＨＤＭＩ（登録商標）端子のような多様な外部入力端子が存在する。
【０００３】
従来は、外部入力端子を活性化させるために、リモコンのような制御装置を利用してきた。しかし、リモコンのような外部装置を用いて外部入力端子を活性化させる場合、ユーザは必ず外部装置を手に握っていなければならないという不都合が存在していた。
【０００４】
このような不都合を解消するために、近来は音声認識を用いて外部入力端子を活性化させる方法が登場している。しかし、音声認識を用いて外部入力端子を活性化させる場合、放送受信装置は予め保存された呼出し語のみを用いて外部入力端子を切り替えなけれならない。例えば、外部入力端子を“コンポーネント端子”に切り替えるために、ユーザは“コンポーネント端子”という呼出し語を発話しなければならなかった。
【０００５】
ユーザが、音声認識を用いて外部入力端子を切り替えるために、ユーザは“コンポーネント”のような慣れない技術的用語を熟知していなければならないという不都合があった。更に、“コンポーネント”のような技術的用語はユーザに娯楽的な（ｅｎｔｅｒｔａｉｎｍｅｎｔ）要素を半減させ、ユーザが音声認識を利用しなくなるという問題点が生じるようになる。
【先行技術文献】
【特許文献】
【０００６】
【特許文献１】日本特開第２００５−０５２１９６２号公報
【特許文献２】米国登録特許第７００６９７４号
【特許文献３】韓国登録特許第４８７３０３号
【特許文献４】韓国特開第２００９−０１１９２８４号公報
【発明の概要】
【発明が解決しようとする課題】
【０００７】
そこで、本発明は、上記問題に鑑みてなされたものであり、本発明の目的とするところは、外部入力端子を切り替えるために、ユーザが設定した呼出し語を外部入力端子とマッチングさせて保存し、ユーザの設定した呼出し語が認識された場合、呼出し語に対応する外部入力端子に切り替える外部入力制御方法及びそれを適用した放送受信装置を提供することにある。
【課題を解決するための手段】
【０００８】
前記目的を達成するための本発明の一実施形態に係る放送受信装置の外部入力制御方法は、外部入力端子を通じて接続された外部入力装置の呼出し語を設定するステップと、前記呼出し語と前記呼出し語に対応する外部入力端子とをマッチングして保存するステップと、ユーザ音声が入力されると、前記ユーザ音声を認識し、前記ユーザ音声に前記呼出し語が含まれているか否かを判断するステップと、前記ユーザ音声に前記呼出し語が含まれている場合、前記呼出し語に対応する外部入力端子を活性化させ、前記呼出し語に対応する外部入力端子から受信される映像を表示するステップとを含む。
【０００９】
そして、前記外部入力端子を通じて新たな外部入力装置が接続された場合、前記外部入力端子を通じて接続された既存の外部入力装置と前記新たな外部入力装置とが同一の外部入力装置であるか否かを判断するステップと、前記既存の外部入力装置と新たな外部入力装置とが異なる場合、前記新たな外部入力装置の呼出し語を設定するステップと、前記新たな外部入力装置の呼出し語と前記外部入力端子とをマッチングして保存するステップとを含んでよい。
【００１０】
なお、前記同一の外部入力装置か否かを判断するステップは、前記外部入力端子を通じて新たな外部入力装置が接続された場合、前記既存の外部入力装置と前記新たな外部入力装置とが同一の外部入力装置か否かをユーザに問い合わせるためのＵＩをディスプレイするステップと、前記ＵＩを通じて入力されたユーザ入力に応じて、前記既存の外部入力装置と前記新たな外部入力装置とが同一の外部入力装置か否かを判断するステップとを含んでよい。
【００１１】
そして、前記設定するステップは、前記外部入力端子を通じて接続された外部入力装置の呼出し語を設定するためのＵＩを表示するステップを含んでよい。
【００１２】
なお、前記ＵＩは、前記放送受信装置の電源が最初にオンされた場合に表示されてよい。
【００１３】
そして、前記判断するステップは、前記ユーザ音声が入力されると、前記ユーザ音声をデジタル信号に処理するステップと、前記デジタル信号を外部のサーバに伝送するステップと、前記サーバから前記デジタル信号に対応するテキスト情報を受信するステップと、前記テキスト情報に前記呼出し語が含まれているか否かを判断するステップとを含んでよい。
【００１４】
なお、前記ユーザ音声に外部入力装置に対する制御命令が含まれている場合、前記制御命令に対応する制御信号を前記外部入力装置に伝送するステップを含んでよい。
【００１５】
そして、前記呼出し語は、前記放送受信装置に予め保存された呼出し語及び前記ユーザによって入力された呼出し語のいずれか一方であってよい。
【００１６】
一方、前記目的を達成するための本発明の一実施形態に係る放送受信装置は、前記放送受信装置と外部入力装置とを接続するための外部入力端子と、前記外部入力端子を通じて接続された外部入力装置の呼出し語を設定する呼出し語設定部と、前記呼出し語と前記呼出し語に対応する外部入力端子とをマッチングして保存する保存部と、ユーザ音声が入力されると、前記ユーザ音声を認識する音声認識部と、ディスプレイ部と、前記音声認識部を介して認識されたユーザ音声に前記呼出し語が含まれているか否かを判断し、前記ユーザ音声に前記呼出し語が含まれている場合、前記呼出し語に対応する外部入力端子を活性化させ、前記呼出し語に対応する外部入力端子から受信される映像を表示するように前記ディスプレイ部を制御する制御部とを含む。
【００１７】
そして、前記制御部は、前記外部入力端子を通じて新たな外部入力装置が接続された場合、前記外部入力端子を通じて接続された既存の外部入力装置と前記新たな外部入力装置とが同一の外部入力装置であるか否かを判断し、前記既存の外部入力装置と新たな外部入力装置とが異なる場合、前記新たな外部入力装置の呼出し語を設定するように前記呼出し語設定部を制御し、前記新たな外部入力装置の呼出し語と前記外部入力端子とをマッチングして前記保存部に保存してよい。
【００１８】
なお、前記制御部は、前記外部入力端子を通じて新たな外部入力装置が接続された場合、前記既存の外部入力装置と前記新たな外部入力装置とが同一の外部入力装置か否かをユーザに問い合わせるためのＵＩをディスプレイするように前記ディスプレイ部を制御し、前記ＵＩを通じて入力されたユーザ入力に応じて、前記既存の外部入力装置と前記新たな外部入力装置とが同一の外部入力装置か否かを判断してよい。
【００１９】
そして、前記呼出し語設定部は、前記外部入力端子を通じて接続された外部入力装置の呼出し語を設定するためのＵＩを表示してよい。
【００２０】
なお、前記ＵＩは、前記放送受信装置の電源が最初にオンされた場合に表示されてよい。
【００２１】
そして、前記音声認識部は、前記ユーザ音声が入力されると、前記ユーザ音声をデジタル信号に処理する音声信号処理部と、前記デジタル信号を外部のサーバに伝送し、前記サーバから前記デジタル信号に対応するテキスト情報を受信する通信部とを含み、前記制御部は、前記サーバから受信されたテキスト情報に前記呼出し語が含まれているか否かを判断してよい。
【００２２】
なお、前記制御部は、前記ユーザ音声に外部入力装置に対する制御命令が含まれている場合、前記制御命令に対応する制御信号を生成し、前記外部入力端子を通じて前記外部入力装置に伝送してよい。
【００２３】
そして、前記呼出し語は、前記放送受信装置に予め保存された呼出し語及び前記ユーザによって入力された呼出し語のいずれか一方であってよい。
【発明の効果】
【００２４】
以上説明したように、本発明によれば、ユーザは自分に慣れている単語を呼出し語に設定することにより、音声認識を用いてより直観的に外部入力端子を制御することができるようになる。
【図面の簡単な説明】
【００２５】
【図１】本発明の一実施形態に係る対話型音声認識システムを示す図である。
【図２】本発明の一実施形態に係る放送受信装置の構成を示すブロック図である。
【図３】本発明の一実施形態に係る呼出し語設定のためのＵＩを示す図である。
【図４】本発明の一実施形態に係る同一の外部入力装置を確認するためのＵＩを示す図である。
【図５】本発明の一実施形態に係る外部入力制御方法を説明するためのフローチャートである。
【発明を実施するための形態】
【００２６】
以下に添付図面を参照しながら、本発明の好適な実施形態について詳細に説明する。
【００２７】
図１は、本発明の一実施形態に係る対話型音声認識システム１０を示す図である。図１に示すように、対話型音声認識システム１０は、放送受信装置１００と、第１サーバ２００と、第２サーバ３００及び外部入力装置４００を含む。このとき、外部入力装置４００は、ＶＣＲ（Ｖｉｄｅｏ  Ｃａｓｓｅｔｔｅ  Ｒｅｃｏｒｄｅｒ）と、ＤＶＤ（Ｄｉｇｉｔａｌ  Ｖｅｒｓａｔｉｌｅ  Ｄｉｓｃ）、ＢＤ（Ｂｌｕｅ−ｒａｙ  Ｄｉｓｃ）、セットトップボックス、ゲーム機、ＵＳＢ装置であってよい。
【００２８】
音声入力装置によってユーザ音声が入力されると、放送受信装置１００は入力されたユーザの音声をデジタル信号に変換し、第１サーバ２００に伝送する。放送受信装置１００からデジタル信号が受信されると、第１サーバ２００は受信されたユーザの音声に対応するデジタル信号をテキスト情報に変換し、テキスト情報を放送受信装置１００に伝送する。
【００２９】
放送受信装置１００は、第１サーバ２００から受信されたテキスト情報に基づいて放送受信装置１００の機能を実行することができる。例えば、放送受信装置１００は、テキスト情報に基づいて外部入力を制御することができる。
【００３０】
または、放送受信装置１００は、第１サーバ２００から受信されたテキスト情報を第２サーバ３００に伝送する。放送受信装置１００からテキスト情報が受信されると、第２サーバ３００は受信されたテキスト情報に対応する応答情報を生成して放送受信装置１００に伝送する。このとき、応答情報には、ユーザ音声に対応する応答メッセージ、制御信号及びコンテンツ検索結果のうち、少なくとも一つを含んでよい。応答メッセージは、ユーザと対話するのと同様に、ユーザ音声に応答するテキスト情報である。例えば、ユーザ音声が“○○○を検索してくれる”の場合、応答メッセージは、“検索してあげる”というようなユーザ音声に応答するテキスト情報であってよい。制御信号は、ユーザ音声に対応する放送受信装置１００を制御するための信号である。例えば、ユーザ音声が“チャネルを○○○（チャネル名）に変えて”の場合、制御信号は放送受信装置１００のチューナがユーザ音声に対応するチャネルを選局するように制御する信号であってよい。コンテンツ検索結果は、ユーザのコンテンツ検索要求に応答する情報である。例えば、ユーザ音声が“○○○（映画タイトル）の主人公は誰”の場合、コンテンツ検索結果はユーザ音声に対応する映画の主人公検索結果情報である。
【００３１】
放送受信装置１００は、応答情報に基づいて、音声認識を行い多様な動作を行うことができる。特に、放送受信装置１００は、ユーザの音声に対応する応答メッセージを音声またはテキスト形態で出力することができる。例えば、“ニュースは何時から”のような特定番組の放送時間を問い合わせるユーザの音声が入力されると、放送受信装置１００は第２サーバ３００から受信された“午後９時からだよ”のような当該番組の放送時間情報が含まれた応答情報を音声またはテキスト形態で出力することができる。
【００３２】
なお、放送受信装置１００は、ユーザの音声に対応する機能を実行することができる。例えば、放送受信装置１００は、チャネル変更のためのユーザの音声が入力されると、当該チャネルを選局してディスプレイすることができる。この場合、放送受信装置１００は、当該機能に対応する応答メッセージを同時に提供することもできる。上述の例の場合、放送受信装置１００は、変更されたチャネルに対する情報またはチャネル変更が完了していることを示すメッセージを音声またはテキスト形態で出力することができる。
【００３３】
特に、音声認識を用いて外部入力端子を制御するために、放送受信装置１００は外部入力端子を通じて接続された外部入力装置４００の呼出し語を設定する。このとき、放送受信装置１００は、呼出し語設定のためのＵＩ（Ｕｓｅｒ  Ｉｎｔｅｒｆａｃｅ）を用いて、外部入力装置４００に対する呼出し語を設定することができる。呼出し語設定のためのＵＩは、放送受信装置１００の電源が最初にオンされた場合、または、放送受信装置１００に新たな外部入力装置４００が接続された場合にディスプレイされてよい。
【００３４】
そして、放送受信装置１００は、設定された呼出し語と呼出し語に対応する外部入力端子とをマッチングして保存する。このとき、放送受信装置１００は、複数の外部入力端子のそれぞれに対して呼出し語をマッチングして保存することができる。
【００３５】
そして、外部入力端子を切り替えるためのユーザ音声が入力されると、放送受信装置１００は、第１サーバ２００を用いてユーザ音声に対応するテキスト情報を受信する。
【００３６】
そして、放送受信装置１００は、ユーザ音声に外部入力装置４００の呼出し語が含まれているか否かを判断する。テキスト情報に呼出し語が含まれている場合、放送受信装置１００は、呼出し語に対応する外部入力端子を活性化させ、呼出し語に対応する外部入力端子から受信される映像を表示することができる。
【００３７】
上述のような対話型音声認識システム１０を介してユーザは、自分が望む用語を外部入力端子を活性化するための呼出し語に設定することで、音声認識を用いてより直観的に外部入力端子を制御することができるようになる。
【００３８】
一方、上述の実施形態においては、音声認識のために、第１サーバ２００及び第２サーバ３００が分離されるものとして実現できたが、それは一実施形態に過ぎず、第１サーバ２００及び第２サーバ３００が統合されて実現できてよい。
【００３９】
以下においては、図２を参照して、本発明の放送受信装置１００についてより詳細に説明する。図２に示すように、放送受信装置１００は、音声認識部１１０と、呼出し語設定部１２０と、保存部１３０と、ディスプレイ部１４０と、外部入力端子１５０及び制御部１６０を含む。このとき、放送受信装置１００は、テレビであってよいが、それに限定されるものではなく、モニタやプロジェクタ等のような装置であってよい。
【００４０】
音声認識部１１０は、ユーザの発話した音声を認識し、ユーザ音声に対応するテキスト情報を出力する。特に、本発明の一実施形態に係る音声認識部１１０は、音声信号処理部１１１と、通信部１１２及びテキスト決定部１１３を含んでよい。
【００４１】
音声信号処理部１１１は、マイクのような音声入力装置を通じて入力されたアナログ形態のユーザ音声をデジタル信号に変換する。そして、音声信号処理部１１１は、変換されたデジタル信号のエネルギーを計算し、デジタル信号のエネルギーが予め設定された値以上か否かを判断する。音声信号処理部１１１は、デジタル信号のエネルギーが予め設定された値未満である場合、音声信号処理部１１１は、入力されたデジタル信号がユーザ音声ではないと判断し、他のユーザ音声を待ち受ける。デジタル信号のエネルギーが予め設定された値以上である場合、音声信号処理部１１１は、入力されたデジタル信号からノイズを除去する。特に、音声信号処理部１１１は、入力されたデジタル信号から、家庭環境で発生し得る突発性雑音（例えば、エアコンの音、掃除機の音、音楽の音等）を除去する。そして、音声信号処理部１１１は、ノイズの除去されたデジタル信号を通信部１１２に出力する。
【００４２】
通信部１１２は、ノイズの除去されたデジタル信号を外部の第１サーバ２００に伝送し、第１サーバ２００からデジタル信号に対応するテキスト情報を受信する。一方、第１サーバ２００は、予め保存されたデータベースを用いて、ユーザ音声が変換されたデジタル信号に対応するテキスト情報を検索することができる。
【００４３】
そして、テキスト決定部１１３は、第１サーバ２００を介して受信されたテキスト情報を制御部１６０に出力する。
【００４４】
呼出し語設定部１２０は、外部入力端子１５０に接続された外部入力装置４００の呼出し語を設定する。ここで、外部入力装置４００の呼出し語は、外部入力装置４００が接続された外部入力端子１５０を活性化するための命令語であってよい。
【００４５】
特に、呼出し語設定部１２０は、図３に示すような呼出し語設定のためのＵＩ３１０を生成し、外部入力装置４００の呼出し語を設定することができる。ユーザが設定できる外部入力装置４００の呼出し語は、放送受信装置１００に放送受信装置１００に予め保存された呼出し語及びユーザによって入力された呼出し語のいずれか一方であってよい。例えば、図３に示すように、外部入力装置４００の呼出し語は、ＶＣＲ、ＤＶＤ、ＢＤ、ＳＴＢ、カムコーダー、ゲーム機等のように、放送受信装置１００に予め保存された呼出し語であってよく、“ビデオ”、“テレビ”及び“ゲーム”等のように、ユーザの指定した呼出し語であってよい。ユーザの指定した呼出し語は、図３に示すＵＩ３１０のうち、“ユーザ指定”メニューを通じて設定することができる。
【００４６】
なお、呼出し語設定部１２０は、複数の外部入力端子１５０のそれぞれに接続された複数の外部入力装置に対する呼出し語を設定することができる。例えば、呼出し語設定部１２０は、ユーザ入力を応じて、“ＡＶ端子”に接続された“ＶＣＲ”の呼出し語を“ビデオ”に設定することができ、“コンポーネント端子”に接続された“ＤＶＤ”の呼出し語を“ＤＶＤ”に設定することができ、“ＨＤＭＩ端子”に接続された“ＢＤ”の呼出し語を“ブルーレイ”に設定することができる。
【００４７】
保存部１３０は、放送受信装置１００の動作を制御するための多様なデータ及びプログラムを保存する。
【００４８】
特に、保存部１３０は、呼出し語設定部１２０によって設定された外部入力装置４００の呼出し語と外部入力端子とをマッチングさせて保存することができる。例えば、保存部１３０は、以下の表１に示すようなデータベースに外部入力装置４００の呼出し語と外部入力端子とをマッチングさせて保存することができる。
【００４９】
【表１】
2014021493.tif 000003
ディスプレイ部１４０は、多様なソースから受信された映像データを表示する。特に、ディスプレイ部１４０は、外部入力端子１５０を介して接続された外部入力装置から受信された映像データを表示することができる。
【００５０】
外部入力端子１５０は、外部入力装置４００と接続されて外部入力装置４００から多様なデータ（例えば、映像データ、音声データ、付加データ等）を受信する。外部入力端子１５０は、図２に示すように、ＡＶ端子、コンポーネント端子、ＨＤＭＩ端子、ＵＳＢ端子等が含まれてよいが、それに限定されるものではなく、パソコン端子のような他の外部入力端子が含まれてよい。
【００５１】
制御部１６０は、ユーザ入力に応じて放送受信装置１００の動作全般を制御することができる。特に、制御部１６０は、音声認識部１１０を介して認識されたユーザ音声に呼出し語が含まれているか否かを判断し、ユーザ音声に呼出し語が含まれている場合、呼出し語に対応する外部入力端子を活性化させ、呼出し語に対応する外部入力端子から受信される映像を表示するようにディスプレイ部１４０を制御する。
【００５２】
具体的に、音声入力装置にユーザ音声が入力された場合、制御部１６０は、音声認識部１１０を用いてユーザ音声に対応するテキスト情報を決定する。そして、制御部１６０は、音声認識部１１０から入力されたテキスト情報に外部入力装置４００の呼出し語が含まれているか否かを判断する。
【００５３】
テキスト情報に外部入力装置４００の呼出し語が含まれている場合、制御部１６０は、呼出し語に対応する外部入力端子１５０を活性化させることができる。そして、制御部１６０は、活性化された外部入力端子から受信される映像を処理してディスプレイ部１４０にディスプレイすることができる。例えば、ユーザ音声に対応するテキスト情報が“ビデオに切り替え”である場合、制御部１６０はテキスト情報に外部入力装置の呼出し語である“ビデオ”が含まれていると判断することができる。そして、制御部１６０は、呼出し語である“ビデオ”に対応する“ＡＶ端子”を活性化させることができる。そして、制御部１６０は、“ＡＶ端子”を通じて受信される映像データを処理してディスプレイすることができる。別の実施形態として、ユーザ音声に対応するテキスト情報が“ＤＶＤを点けて”の場合、制御部１６０はテキスト情報に外部入力装置の呼出し語である“ＤＶＤ”が含まれていると判断することができる。そして、制御部１６０は、呼出し語である“ＤＶＤ”に対応する“コンポーネント端子”を活性化させることができる。そして、制御部１６０は、“コンポーネント端子”を通じて受信される映像データを処理してディスプレイすることができる。
【００５４】
一方、外部入力端子１５０に接続された外部入力端子４００の電源がオンされていないか、映像を出力していない場合、制御部１６０は外部入力装置４００から映像データが出力されるまで待ち受け画面をディスプレイすることができる。
【００５５】
なお、制御部１６０は、外部入力端子１５０を介して新たな外部入力装置が接続された場合、外部入力端子１５０を介して接続された既存の外部入力装置と新たな外部入力装置とが同一の外部入力装置か否かを判断する。特に、制御部１５０は、新たな外部入力装置が既存の外部入力装置と同一か否かを問い合わせるためのＵＩを用いて、新たな外部入力装置が既存の入力装置とが同一か否かを判断することができる。例えば、制御部１５０は、図４に示すように、“新たな外部入力装置が接続されました。以前の外部入力装置と同じ装置ですか？”というメッセージが含まれたＵＩ４１０を用いて、新たな外部入力装置が既存の入力装置と同一か否かを判断することができる。
【００５６】
既存の外部入力装置と新たな外部入力装置とが異なる場合、制御部１６０は新たな外部入力装置の呼出し語を設定するように呼出し語設定部１２０を制御し、新たな外部入力装置の呼出し語と外部入力端子とをマッチングして保存部１３０に保存することができる。例えば、ＡＶ端子に接続された既存の外部入力装置が“ＶＣＲ”であり、新たに接続された外部入力装置が“ＳＴＢ”である場合、制御部１６０はユーザの入力に応じて既存の外部入力装置と新たな外部入力装置とが異なると判断することができる。そして、制御部１６０は、呼出し語設定部１２０を制御し、図３に示すような呼出し語設定のためのＵＩ３１０をディスプレイすることができる。呼出し語設定のためのＵＩ３１０を用いて、“ＳＴＢ”の呼出し語を“テレビ”と設定した場合、制御部１６０は、図１に示すようなデータベースを以下の表２に示すようにアップデートすることができる。
【００５７】
【表２】
2014021493.tif 000004
なお、ユーザ音声に外部入力装置に対する制御命令が含まれている場合、制御部１６０は制御命令に対応する制御信号を外部入力装置に伝送することができる。例えば、ユーザ音声に対応するテキスト情報が“ブルーレイを点けて”の場合、制御部１６０は“点けて”というテキスト情報を用いて、“再生命令”を判断し、ＨＤＭＩ端子に接続された“ＢＤ”に再生命令の制御信号を伝送することができる。
【００５８】
このとき、外部入力端子４００が制御信号を伝送することができるＨＤＭＩ端子である場合、制御部１６０は制御命令に対応する制御信号を外部入力端子１５０を介して直ちに伝送することができる。外部入力端子１５０を介して制御信号を伝送することができない場合、制御部１６０は外部のリモコンに制御信号を伝送し、外部のリモコンが外部入力装置４００に制御信号を伝送することができる。
【００５９】
上述のような放送受信装置１００によって、ユーザが自分に慣れている単語を外部入力装置４００の呼出し語に設定することで、ユーザは音声認識を用いて、より直観的に外部入力端子を制御することができるようになる。
【００６０】
以下では、図５を参照し、放送受信装置１００の外部入力制御方法について詳細に説明する。
【００６１】
まず、放送受信装置１００は、外部入力端子に接続された外部入力装置４００の呼出し語を設定する（Ｓ５０５）。特に、放送受信装置１００は、図３に示すように、外部入力装置４００の呼出し語を設定するためのＵＩ３１０を用いて、外部入力装置４００の呼出し語を設定することができる。このとき、外部入力装置４００の呼出し語を設定するためのＵＩは、放送受信装置１００の電源がオンされた場合にディスプレイされてよい。
【００６２】
そして、放送受信装置１００は、呼出し語と外部入力端子とをマッチングして保存する（Ｓ５１０）。例えば、放送受信装置１００は、表１に示すように、呼出し語と外部入力端子とをマッチングして保存することができる。
【００６３】
そして、放送受信装置１００は、ユーザ音声が入力された否かを判断する（Ｓ５１５）。
【００６４】
ユーザ音声が入力された場合（Ｓ５１５−Ｙ）、放送受信装置１００はユーザ音声を認識する（Ｓ５２０）。このとき、放送受信装置１００は、図１に示す第１サーバ２００を用いて、ユーザの音声を認識することができる。しかし、それは一実施形態に過ぎず、他の方法でユーザの音声を認識することができる。
【００６５】
放送受信装置１００は、認識されたユーザ音声に呼出し語が含まれているか否かを判断する（Ｓ５２５）。
【００６６】
ユーザ音声に呼出し語が含まれていると判断された場合（Ｓ５２５−Ｙ）、放送受信装置１００は呼出し語に対応する外部入力端子を活性化させ、呼出し語に対応する外部入力装置４００から受信される映像を表示する（Ｓ５３０）。
【００６７】
そして、放送受信装置１００は、外部入力端子に新たな外部入力装置が接続されているか否かを判断する（Ｓ５３５）。
【００６８】
新たな外部入力装置が接続されている場合（Ｓ５３５−Ｙ）、放送受信装置１００は、新たな外部入力装置が以前の外部入力装置と同一か否かを判断する（Ｓ５４０）。具体的に、新たな外部入力装置が接続された場合、放送受信装置１００は図４に示すようなＵＩ４１０をディスプレイし、図４に示すようなＵＩ４１０に接続されたユーザ命令に応じて、新たな外部入力装置が以前の外部入力装置と同一か否かを判断することができる。
【００６９】
新たな外部入力装置と以前の外部入力装置とが異なる場合（Ｓ５４０−Ｙ）、放送受信装置１００は新たな外部入力装置に対する呼出し語を設定する（Ｓ５４５）。具体的に、放送受信装置１００は、図３に示すような呼出し語設定のためのＵＩ３１０を再びディスプレイし、新たな外部入力装置の呼出し語を設定することができる。
【００７０】
そして、放送受信装置１００は、新たな呼出し語と外部入力端子とをマッチングして保存する（Ｓ５５０）。
【００７１】
上述のような外部入力制御方法を通じて、ユーザはより慣れていて、面白い用語を呼出し語に設定し、外部入力端子を制御することができるようになる。
【００７２】
一方、上述の実施形態においては、外部の第１サーバ２００を用いて音声認識を行ったが、それは一実施形態に過ぎず、放送受信装置１００の内部に備えられた第１サーバ２００と同一の機能を実行する音声認識データベースを用いて音声認識を行うことができる。
【００７３】
なお、上述の実施形態では、外部入力装置の呼出し語を設定するものとして説明したが、それは一実施形態に過ぎず、特定コンテンツまたは外部リンクに対する呼出し語を設定する実施形態も、本発明の技術的思想が適用されてよい。具体的に、呼出し語設定部１２０は、ユーザ入力に応じて、特定コンテンツまたは外部リンクに対する呼出し語を設定する。そして、音声認識部１１０を通じてユーザの音声が認識されると、制御部１６０は認識されたユーザ音声に特定コンテンツまたは外部リンクに対する呼出し語が含まれているか否かを判断する。そして、ユーザ音声に特定コンテンツまたは外部リンクに対する呼出し語が含まれている場合、制御部１６０はユーザ音声に含まれている呼出し語に対応する特定コンテンツまたは外部リンクを実行させることができる。このとき、ユーザ音声に特定コンテンツに対する呼出し語が含まれている場合、制御部１６０は保存部１３０に保存されたコンテンツを実行させることができ、ユーザ音声に外部リンクに対する呼出し語が含まれている場合、制御部１６０は外部リンクのアドレスを判断し、外部リンクに接続することができる。例えば、ユーザ入力に応じて、保存部１３０に保存された“コンテンツＡ”に対する呼出し語に“Ａ”を設定した場合、ユーザ音声に“Ａ”が含まれている場合、制御部１６０は保存部１３０に保存されたコンテンツＡを実行させることができ、“外部リンクＢ”に対する呼出し語に“Ｂ”を設定した場合、ユーザ音声に“Ｂ”が含まれていると、制御部１６０は直ちに外部リンクに接続してユーザに外部リンクを提供することができる。
【００７４】
以上のような多様な実施形態に係る外部入力制御方法を実行するためのプログラムコードは、非一時的読み取り可能媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されてよい。非一時的読み取り可能媒体とは、レジスタ、キャッシュ、メモリ等のように短い瞬間の間にデータを保存する媒体でなく半永久的にデータを保存し、機器により読み取り（ｒｅａｄｉｎｇ）可能な媒体を意味する。具体的には、上述した多様なアプリケーションまたはプログラムは、ＣＤ、ＤＶＤ、ハードディスク、ブルーレイディスク、ＵＳＢ、メモリーカード、ＲＯＭ等のような非一時的読み取り可能媒体に保存されて提供されることができる。
【００７５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００７６】
１０    対話型音声認識システム
１００  放送受信装置
１１０  音声認識部
１１１  音声信号処理部
１１２  通信部
１１３  テキスト決定部
１２０  呼出し語設定部
１３０  保存部
１４０  ディスプレイ部
１５０  外部入力端子
２００  第１サーバ
３００  第２サーバ
３１０、４１０  ＵＩ
４００  外部入力装置
【図１】
2014021493.tif 000005
【図２】
2014021493.tif 000006
【図３】
2014021493.tif 000007
【図４】
2014021493.tif 000008
【図５】
2014021493.tif 000009